(57)【要約】【課題】２心コードが破損したり、光ファイバ心線が切断されたりすることなく、２心コードを単心コード部に容易に分離させることができるようにする。【解決手段】複数の単心コード部から成る光ファイバコードを、融着部を切断することによって単心コード部に分離させるためのコード単心分離工具３１において、第１のアーム３２と、第２のアーム３３と、第１、第２のアーム３２、３３を連結する連結部とを有する。第１のアーム３２に第１の係合部３７が、第２のアーム３３に第２の係合部３８が形成され、第１の係合部３７に、光ファイバコードを保持し、融着部を切断するための保持・切断部が、第２の係合部３８に、光ファイバコードを保持・切断部に押し付けるための押付部が形成される。光ファイバコードは、第１、第２の係合部３７、３８間から非接合部分を引き出すことによって、単心コード部に分離させられる。【選択図】図１
2014182339.tif 000002
【特許請求の範囲】
【請求項１】
複数の単心コード部から成る光ファイバコードを、融着部を切断することによって単心コード部に分離させるためのコード単心分離工具において、
（ａ）第１のアームと、
（ｂ）第２のアームと、
（ｃ）前記第１、第２のアームを連結する連結部とを有するとともに、
（ｄ）前記第１のアームに第１の係合部が、前記第２のアームに第２の係合部が形成され、
（ｅ）前記第１の係合部に、前記光ファイバコードを保持し、前記融着部を切断するための保持・切断部が、前記第２の係合部に、光ファイバコードを保持・切断部に押し付けるための押付部が形成され、
（ｆ）前記光ファイバコードは、前記第１、第２の係合部間から、単心コード部が融着されていない非接合部分を引き出すことによって、単心コード部に分離させられることを特徴とするコード単心分離工具。
【請求項２】
前記保持・切断部は、分離させられた単心コード部を収容するための単心コード部収容溝を備える請求項１に記載のコード単心分離工具。
【請求項３】
前記保持・切断部は、光ファイバコードを収容し、光ファイバコードの結束帯をカットするためのコード収容部、及び分離させられた単心コード部を収容するための単心コード部収容溝を備える請求項１又は２に記載のコード単心分離工具。
【請求項４】
前記押付部は、第１、第２の係合部の係合に伴って単心コード部収容溝内に進入させられる凸部を備える請求項２に記載のコード単心分離工具。
【請求項５】
前記押付部は、第１、第２の係合部の係合に伴って単心コード部収容溝内に進入させられる凸部、及び第１、第２の係合部の係合に伴ってコード収容部内に進入させられる凸部を備える請求項３に記載のコード単心分離工具。
【請求項６】
（ａ）前記第１の係合部に、前記光ファイバコードを保持し、前記融着部を切断するための第１の保持・切断部が、前記第２の係合部に、前記第１の保持・切断部によって保持される光ファイバコードと異なるコード径を有する光ファイバコードを保持し、前記融着部を切断するための第２の保持・切断部が形成され、
（ｂ）前記第２の係合部に、前記第１の保持・切断部と対向させて、光ファイバコードを第１の保持・切断部に押し付けるための第１の押付部が、前記第１の係合部に、前記第１の保持・切断部によって保持される光ファイバコードと異なるコード径を有する光ファイバコードを第２の保持・切断部に押し付けるための第２の押付部が形成される請求項１に記載のコード単心分離工具。
【請求項７】
前記第１、第２のアームの所定の箇所に、コード径を表す文字が形成される請求項６に記載のコード単心分離工具。
【請求項８】
第１、第２のアーム、及び該第１、第２のアームを連結する連結部を有し、第１のアームに第１の係合部が、前記第２のアームに第２の係合部が形成されたコード単心分離工具によって、複数の単心コード部から成る光ファイバコードを、融着部を切断することによって単心コード部に分離させるためのコード単心分離方法において、
（ａ）前記第１の係合部に形成された保持・切断部に光ファイバコードをセットし、
（ｂ）第１、第２の係合部を係合させ、
（ｃ）前記第２の係合部に形成された押付部によって光ファイバコードを保持・切断部に押し付け、
（ｄ）前記第１、第２の係合部間から、単心コード部が融着されていない非接合部分を引き出すことによって、光ファイバコードを単心コード部に分離させることを特徴とするコード単心分離方法。
【発明の詳細な説明】
【技術分野】
【０００１】
本発明は、コード単心分離工具及びコード単心分離方法に関するものである。
【背景技術】
【０００２】
従来、光ファイバケーブルを使用する光配線システムにおいては、光通信網と光通信機器とを接続するインタフェースとして光配線盤が配設されるようになっている。該光配線盤は、架体内にケーブル導入部及び複数の成端ユニットを備え、前記ケーブル導入部に光通信網側の光ファイバケーブル及び光通信機器側の光ファイバケーブルがそれぞれ導入され、ケーブル導入部と各成端ユニットとが光ファイバコードによって接続される。
【０００３】
また、前記各成端ユニットには、複数の光コネクタから成るコネクタユニットが配設され、前記光通信網側の光ファイバケーブルに接続された光ファイバコード、及び光通信機器側の光ファイバケーブルに接続された光ファイバコードを各光コネクタに選択的に接続することによって、前記光通信網側の光ファイバケーブルと光通信機器側の光ファイバケーブルとの間の中継、回線の切替、回線の切分け等が行われる（例えば、特許文献１参照。）。
【０００４】
ところで、前記光ファイバコードとして、一本の光ファイバ心線を備えた単心コード、二本の光ファイバ心線を備えた２心コード等がある。
【０００５】
図２は単心コードの例を示す図、図３は単心コードのコード本体の断面図、図４は２心コードの例を示す図、図５は２心コードのコード本体の断面図である。
【０００６】
図２及び３において、１１は単心コード、１２は該単心コード１１の両端に取り付けられた光コネクタである。前記単心コード１１は、光ファイバ心線１６、該光ファイバ心線１６の表面を被覆し、抗張力繊維から成る補強材１７、及び該補強材１７の表面を被覆し、ポリ塩化ビニル等の樹脂から成る外皮１８を備える。
【０００７】
また、図４及び５において、２１は２心コードであり、該２心コード２１は、前記単心コード１１と同様の光ファイバ心線１６、補強材１７及び外皮１８を備えた二本の単心コード部２２、２３の外皮１８を融着して併設することによって形成され、単心コード部２２、２３間に融着部２５が形成される。また、２心コード２１の両端の近傍には分岐部ｐ１、ｐ２が形成され、該分岐部ｐ１、ｐ２において単心コード部２２、２３は互いに分離させられ、分離させられた単心コード部２２、２３の先端に光コネクタ１２が取り付けられる。そして、前記２心コード２１における分岐部ｐ１、ｐ２間の融着された部分を接合部分２６とし、２心コード２１における分岐部ｐ１、ｐ２より先端側、すなわち、光コネクタ１２側を非接合部分２７としたとき、光コネクタ１２、各単心コード部２２、２３の非接合部分２７等に外力が加わって分岐部ｐ１、ｐ２が破損することがないように、分岐部ｐ１、ｐ２において２心コード２１は、テープ、チューブ等の樹脂製の結束帯２８によって包囲される。
【０００８】
ところで、光ファイバコードを光配線盤内において配線するに当たり、例えば、光ファイバコードをコネクタユニットの互いに隣接する光コネクタに接続する場合には、２心コード２１を使用し、光ファイバコードをコネクタユニットの一つの独立した光コネクタに接続する場合には、単心コード１１を使用するのが好ましい。
【先行技術文献】
【特許文献】
【０００９】
【特許文献１】特開２００１−４２１３３号公報
【発明の概要】
【発明が解決しようとする課題】
【００１０】
しかしながら、２心コード２１及び単心コード１１を常時備えておくのは、光ファイバコードの管理が煩わしいだけでなく、配線作業を行う作業現場において、作業者が２心コード２１と単心コード１１とを使い分ける必要があるので、作業効率が低くなってしまう。
【００１１】
そこで、２心コード２１を単心コード部２２、２３に分離させ、単心コード部２２、２３を単心コード１１として使用することが考えられるが、その場合、非接合部分２７の単心コード部２２、２３を把持して、融着部２５を引き裂こうとすると、２心コード２１に過剰な外力が加わり、２心コード２１が破損したり、光ファイバ心線１６が切断されたりしてしまう。
【００１２】
本発明は、前記従来の２心コード２１を単心コード部２２、２３に分離させる方法の問題点を解決して、２心コードが破損したり、光ファイバ心線が切断されたりすることなく、２心コードを単心コード部に容易に分離させることができるコード単心分離工具及びコード単心分離方法を提供することを目的とする。
【課題を解決するための手段】
【００１３】
そのために、本発明のコード単心分離工具においては、複数の単心コード部から成る光ファイバコードを、融着部を切断することによって単心コード部に分離させることができるようになっている。
【００１４】
そして、第１のアームと、第２のアームと、前記第１、第２のアームを連結する連結部とを有する。
【００１５】
また、前記第１のアームに第１の係合部が、前記第２のアームに第２の係合部が形成される。
【００１６】
そして、前記第１の係合部に、前記光ファイバコードを保持し、前記融着部を切断するための保持・切断部が、前記第２の係合部に、光ファイバコードを保持・切断部に押し付けるための押付部が形成される。
【００１７】
また、前記光ファイバコードは、前記第１、第２の係合部間から、単心コード部が融着されていない非接合部分を引き出すことによって、単心コード部に分離させられる。
【発明の効果】
【００１８】
本発明によれば、コード単心分離工具においては、複数の単心コード部から成る光ファイバコードを、融着部を切断することによって単心コード部に分離させることができるようになっている。
【００１９】
そして、第１のアームと、第２のアームと、前記第１、第２のアームを連結する連結部とを有する。
【００２０】
また、前記第１のアームに第１の係合部が、前記第２のアームに第２の係合部が形成される。
【００２１】
そして、前記第１の係合部に、前記光ファイバコードを保持し、前記融着部を切断するための保持・切断部が、前記第２の係合部に、光ファイバコードを保持・切断部に押し付けるための押付部が形成される。
【００２２】
また、前記光ファイバコードは、前記第１、第２の係合部間から、単心コード部が融着されていない非接合部分を引き出すことによって、単心コード部に分離させられる。
【００２３】
この場合、前記第１の係合部に、前記光ファイバコードを保持し、前記融着部を切断するための保持・切断部が、前記第２の係合部に、光ファイバコードを保持・切断部に押し付けるための押付部が形成されるので、第１、第２の係合部間から、単心コード部が融着されていない非接合部分を引き出すことによって、光ファイバコードを単心コード部に容易に分離させることができる。
【００２４】
また、非接合部分を引き出す際に、光ファイバコードに過剰な外力が加わることがなく、しかも、光ファイバコードには長さ方向に外力が加わるだけで、曲げ方向には外力が加わらないので、光ファイバコードが破損したり、光ファイバ心線が切断されたりすることがない。
【００２５】
さらに、第１、第２の係合部を係合させることによって、保持・切断部にセットされた光ファイバコードが押付部により保持・切断部に押し付けられるので、各非接合部分を安定させて引き出すことができる。したがって、光ファイバコードを単心コード部に一層容易に分離させることができる。
【図面の簡単な説明】
【００２６】
【図１】本発明の第１の実施の形態におけるコード単心分離工具の要部拡大図である。
【図２】単心コードの例を示す図である。
【図３】単心コードのコード本体の断面図である。
【図４】２心コードの例を示す図である。
【図５】２心コードのコード本体の断面図である。
【図６】本発明の第１の実施の形態におけるコード単心分離工具の第１の斜視図である。
【図７】本発明の第１の実施の形態におけるコード単心分離工具の第２の斜視図である。
【図８】本発明の第１の実施の形態におけるコード単心分離工具の側面図である。
【図９】本発明の第１の実施の形態におけるコード単心分離工具の底面図である。
【図１０】本発明の第１の実施の形態におけるコード単心分離工具の正面図である。
【図１１】本発明の第１の実施の形態におけるコード単心分離工具の作動状態を示す図である。
【図１２】本発明の第２の実施の形態におけるコード単心分離工具の第１の斜視図である。
【図１３】本発明の第２の実施の形態におけるコード単心分離工具の第２の斜視図である。
【図１４】本発明の第２の実施の形態におけるコード単心分離工具の側面図である。
【図１５】本発明の第２の実施の形態におけるコード単心分離工具の底面図である。
【図１６】本発明の第２の実施の形態におけるコード単心分離工具の要部拡大図である。
【図１７】本発明の第２の実施の形態におけるコード単心分離工具の正面図である。
【図１８】本発明の第２の実施の形態におけるコード単心分離工具の作動状態を示す図である。
【発明を実施するための形態】
【００２７】
以下、本発明の実施の形態について図面を参照しながら詳細に説明する。
【００２８】
図１は本発明の第１の実施の形態におけるコード単心分離工具の要部拡大図、図６は本発明の第１の実施の形態におけるコード単心分離工具の第１の斜視図、図７は本発明の第１の実施の形態におけるコード単心分離工具の第２の斜視図、図８は本発明の第１の実施の形態におけるコード単心分離工具の側面図、図９は本発明の第１の実施の形態におけるコード単心分離工具の底面図、図１０は本発明の第１の実施の形態におけるコード単心分離工具の正面図、図１１は本発明の第１の実施の形態におけるコード単心分離工具の作動状態を示す図である。
【００２９】
図において、３１はコード単心分離工具、３２、３３は樹脂によって一体成形により形成された第１、第２のアーム、３４は、該第１、第２のアーム３２、３３の一端（後端）を所定の固定方法、本実施の形態においては、ハトメカシメによって固定することにより、第１、第２のアーム３２、３３を連結する連結部である。前記各第１、第２のアーム３２、３３は、主として帯状の形状を有し、連結部３４に近づくほど薄くされ、湾曲させられ、連結部３４から離れるほど厚くされ、直線状に延在させられ、連結されることによってＵ字状の形状を成す。
【００３０】
そして、前記第１、第２のアーム３２、３３の他端（先端）の互いに対向する部分には、第１、第２の係合部３７、３８が係脱自在に形成される。したがって、作業者がコード単心分離工具３１を把持し、第１、第２のアーム３２、３３の先端を指で押すことによって、連結部３４の近傍の湾曲した部分を撓ませ、第１、第２の係合部３７、３８を係合させることができる。
【００３１】
ところで、本実施の形態においては、コード単心分離工具３１によって、単心コード部２２、２３（図４）の径（以下「コード径」という。）が異なる複数の種類の２心コード２１、本実施の形態においては、二種類の２心コード２１を単心コード部２２、２３に分離させることができるようになっている。すなわち、本実施の形態においては、コード径が２．０〔ｍｍ〕の２心コード２１（以下「第１のコード」という。）、及びコード径が１．５〔ｍｍ〕の２心コード２１（以下「第２のコード」という。）を単心コード部２２、２３に分離させることができるようになっている。
【００３２】
この場合、第１のコードを単心コード部２２、２３に分離させるために、前記第１の係合部３７の一方の縁部に沿って、第１のコードを保持し、融着部２５（図５）を切断するための第１の保持・切断部５１が、前記第２の係合部３８の前記第１の保持・切断部５１と対向する箇所に、第１のコードを第１の保持・切断部５１に押し付けるための第１の押付部５２が形成される。また、第２のコードを単心コード部２２、２３に分離させるために、前記第２の係合部３８の前記第１の押付部５２と反対側の縁部に沿って、第２のコードを保持し、融着部２５を切断するための第２の保持・切断部５３が、前記第１の係合部３７の前記第２の保持・切断部５３と対向する箇所に、第２のコードを第２の保持・切断部５３に押し付けるための第２の押付部５４が形成される。
【００３３】
前記第１の保持・切断部５１は、第１のアーム３２の長手方向に延在させて形成され、第１のコードを収容するための溝状のコード収容部６１を備え、該コード収容部６１は、コード収容部６１の幅方向における中央において、底から立ち上げて、第１のアーム３２の先端から所定の長さにわたり延在させて形成された区画要素としての区画壁ｗ１、該区画壁ｗ１の連結部３４側の端部、すなわち、後端に埋込み等によって配設され、第１のコードの融着部２５を切断する切断要素としての金属製のカッタ６３、及び前記区画壁ｗ１によって区画形成され、分離させられた単心コード部２２、２３をそれぞれ収容するための複数の、本実施の形態においては、二つの単心コード部収容溝ｍ１、ｍ２を備える。なお、本実施の形態においては、金属製のカッタ６３が配設されるようになっているが、セラミック等から成るカッタを配設することもできる。
【００３４】
また、前記第１の押付部５２は、前記単心コード部収容溝ｍ１、ｍ２と対応させて、第２のアーム３３の先端から所定の長さにわたり延在させて形成された押え要素としての凸部ｄ１、ｄ２を備え、該凸部ｄ１、ｄ２間に区画要素収容部としての区画壁収容溝ｈ１が形成される。
【００３５】
そして、図１１に示されるように、前記第１、第２の係合部３７、３８を係合させると、第１の保持・切断部５１と第１の押付部５２とが係合させられ、単心コード部収容溝ｍ１、ｍ２内に凸部ｄ１、ｄ２がそれぞれ進入させられ、該凸部ｄ１、ｄ２によって単心コード部２２、２３が第１の保持・切断部５１に押し付けられる。
【００３６】
前記第２の保持・切断部５３は、第２のアーム３３の長手方向に延在させて形成され、第２のコードを収容するための溝状のコード収容部７１を備え、該コード収容部７１は、コード収容部７１の幅方向における中央において、底から立ち上げて、第２のアーム３３の先端から所定の長さにわたり延在させて形成された区画要素としての区画壁ｗ２、該区画壁ｗ２の連結部３４側の端部、すなわち、後端に埋込み等によって配設され、第２のコードの融着部２５を切断する切断要素としての金属製のカッタ７３、及び前記区画壁ｗ２によって区画形成され、分離させられた単心コード部２２、２３をそれぞれ収容するための複数の、本実施の形態においては、二つの単心コード部収容溝ｍ３、ｍ４を備える。
【００３７】
また、前記第２の押付部５４は、前記単心コード部収容溝ｍ３、ｍ４と対応させて、第１のアーム３２の先端から所定の長さにわたり延在させて形成された押え要素としての凸部ｄ３、ｄ４を備え、該凸部ｄ３、ｄ４間に区画要素収容部としての区画壁収容溝ｈ２が形成される。
【００３８】
そして、図１１に示されるように、前記第１、第２の係合部３７、３８を係合させると、第２の保持・切断部５３と第２の押付部５４とが係合させられ、単心コード部収容溝ｍ３、ｍ４内に凸部ｄ３、ｄ４がそれぞれ進入させられ、該凸部ｄ３、ｄ４によって単心コード部２２、２３が第２の保持・切断部５３に押し付けられる。
【００３９】
なお、前記単心コード部収容溝ｍ１、ｍ２の幅は単心コード部収容溝ｍ３、ｍ４の幅より大きく設定される。
【００４０】
このように、作業者は、第１のコードを単心コード部２２、２３に分離させる場合、第１のアーム３２を下に、第２のアーム３３を上にしてコード単心分離工具３１を把持し、第１の保持・切断部５１に第１のコードをセットすることができ、第２のコードを単心コード部２２、２３に分離させる場合、第２のアーム３３を下に、第１のアーム３２を上にしてコード単心分離工具３１を把持し、第２の保持・切断部５３に第２のコードをセットすることができる。
【００４１】
なお、８０は第１、第２のアーム３２、３３における第１、第２の係合部３７、３８の背面に形成された滑止め、８１は前記連結部３４に形成され、図示されないストラップを通すための穴、８２は前記第１、第２のアーム３２、３３の対向する面に形成され、第１、第２のアーム３２、３３を補強する補強要素としてのリブ、８３は第１のアーム３２の先端において幅方向に突出させて形成された肉厚の突出部、８４は第２のアーム３３の先端において幅方向に突出させて、かつ、前記突出部８３と対向させて形成された肉薄の突出部、８５は第２のアーム３３の先端において幅方向に突出させて形成された肉厚の突出部、８６は第１のアーム３２の先端において幅方向に突出させて、かつ、前記突出部８５と対向させて形成された肉薄の突出部である。そして、前記突出部８３、８４の対向する面に、前記第１の保持・切断部５１及び第１の押付部５２が、前記突出部８５、８６の対向する面に、前記第２の保持・切断部５３及び第２の押付部５４が形成される。
【００４２】
また、第２のアーム３３を上にしてコード単心分離工具３１を把持したときに見えるように、第１の保持・切断部５１にセットされる第１のコードを引き出す方向を示す矢印が突出部８５の背面に形成され、第１のコードのコード径を表す「２．０ｍｍ」の文字が突出部８４の背面に形成される。そして、第１のアーム３２を上にしてコード単心分離工具３１を把持したときに見えるように、第２の保持・切断部５３にセットされる第２のコードを引き出す方向を示す矢印が突出部８３の背面に形成され、第２のコードのコード径を表す「１．５ｍｍ」の文字が突出部８６の背面に形成される。
【００４３】
なお、前記突出部８４、８６の内側縁には案内溝８８が、前記突出部８３、８５には前記案内溝８８と対応させてフラップ８９が形成され、第１、第２の係合部３７、３８を係合させるときに、フラップ８９が案内溝８８に沿って移動させられる。
【００４４】
次に、前記コード単心分離工具３１を使用して２心コード２１を単心コード部２２、２３に分離させる方法、すなわち、コード単心分離方法について説明する。
【００４５】
第１のコードを単心コード部２２、２３に分離させる場合、まず、作業者は、はさみ、ナイフ等を使用して、第１のコードの各結束帯２８（図４）を切断し、剥がす。
【００４６】
次に、第１の保持・切断部５１に第１のコードをセットする。この場合、第１のコードのコード径は２．０〔ｍｍ〕であるので、作業者は、第１のアーム３２を下に、第２のアーム３３を上にしてコード単心分離工具３１を把持し、突出部８４の背面に形成された文字によって、対応するコード径が２．０〔ｍｍ〕であることを確認し、コード収容部６１におけるカッタ６３より連結部３４側に第１のコードの分岐部ｐ１、ｐ２のうちの一方及び接合部分２６を置き、単心コード部収容溝ｍ１、ｍ２に第１のコードの各非接合部分２７を置く。
【００４７】
続いて、作業者は、第１、第２のアーム３２、３３の先端を指で押すことによって第１、第２の係合部３７、３８を係合させ、その状態で、突出部８５の背面に形成された矢印の方向に、単心コード部収容溝ｍ１、ｍ２から突出している第１のコードの各非接合部分２７を引き出す。
【００４８】
これにより、第１のコードの融着部２５がカッタ６３によって切断され、第１のコードが単心コード部２２、２３に分離させられる。
【００４９】
また、第２のコードを単心コード部２２、２３に分離させる場合、まず、作業者は、はさみ、ナイフ等を使用して、第２のコードの各結束帯２８を切断し、剥がす。
【００５０】
次に、第２の保持・切断部５３に第２のコードをセットする。この場合、第２のコードのコード径は１．５〔ｍｍ〕であるので、作業者は、第２のアーム３３を下に、第１のアーム３２を上にしてコード単心分離工具３１を把持し、突出部８６の背面に形成された文字によって、対応するコード径が１．５〔ｍｍ〕であることを確認し、コード収容部７１におけるカッタ７３より連結部３４側に第２のコードの分岐部ｐ１、ｐ２のうちの一方及び接合部分２６を置き、単心コード部収容溝ｍ３、ｍ４に第２のコードの各非接合部分２７を置く。
【００５１】
続いて、作業者は、第１、第２のアーム３２、３３の先端を指で押すことによって第１、第２の係合部３７、３８を係合させ、その状態で、突出部８３の背面に形成された矢印の方向に、単心コード部収容溝ｍ３、ｍ４から突出している第２のコードの各非接合部分２７を引き出す。
【００５２】
これにより、第２のコードの融着部２５がカッタ７３によって切断され、第２のコードが単心コード部２２、２３に分離させられる。
【００５３】
このように、本実施の形態においては、第１の保持・切断部５１に第１のコードを、第２の保持・切断部５３に第２のコードをセットし、第１、第２の係合部３７、３８を係合させ、その状態で、単心コード部収容溝ｍ１、ｍ２から突出している第１のコードの各非接合部分２７、又は単心コード部収容溝ｍ３、ｍ４から突出している第２のコードの各非接合部分２７を引き出すことによって、２心コード２１を単心コード部２２、２３に容易に分離させることができる。
【００５４】
また、各非接合部分２７を引き出す際に、２心コード２１に過剰な外力が加わることがなく、しかも、２心コード２１には長さ方向に外力が加わるだけで、横方向、すなわち、曲げ方向には外力が加わらないので、２心コード２１が破損したり、光ファイバ心線１６が切断されたりすることがない。
【００５５】
そして、突出部８４、８６の背面に形成されたコード径を表す文字に従って２心コード２１を第１、第２の保持・切断部５１、５３にセットすることができるので、非接合部分２７及び分離させられた単心コード部２２、２３を各単心コード部収容溝ｍ１〜ｍ４内に適正に収容することができる。その結果、各非接合部分２７を安定させて引き出すことができる。
【００５６】
さらに、第１、第２の係合部３７、３８を係合させることによって、第１、第２の保持・切断部５１、５３にセットされた２心コード２１がそれぞれ第１、第２の押付部５２、５４により第１、第２の保持・切断部５１、５３に押し付けられるので、各非接合部分２７を一層安定させて引き出すことができる。したがって、２心コード２１を一層確実に単心コード部２２、２３に分離させることができる。
【００５７】
次に、２心コード２１の結束帯２８をカットすることができ、２心コード２１を単心コード部２２、２３に分離させることができるようにした本発明の第２の実施の形態について説明する。なお、第１の実施の形態と同じ構造を有するものについては、同じ符号を付与し、同じ構造を有することによる発明の効果については同実施の形態の効果を援用する。
【００５８】
図１２は本発明の第２の実施の形態におけるコード単心分離工具の第１の斜視図、図１３は本発明の第２の実施の形態におけるコード単心分離工具の第２の斜視図、図１４は本発明の第２の実施の形態におけるコード単心分離工具の側面図、図１５は本発明の第２の実施の形態におけるコード単心分離工具の底面図、図１６は本発明の第２の実施の形態におけるコード単心分離工具の要部拡大図、図１７は本発明の第２の実施の形態におけるコード単心分離工具の正面図、図１８は本発明の第２の実施の形態におけるコード単心分離工具の作動状態を示す図である。
【００５９】
本実施の形態においては、コード径が２．０〔ｍｍ〕の第１のコード、及びコード径が１．５〔ｍｍ〕の第２のコードを単心コード部２２、２３（図４）に分離させることができるようになっている。
【００６０】
この場合、第１のコードを単心コード部２２、２３に分離させるために、前記第１の係合部３７の一方の縁部に沿って、第１のコードを保持し、結束帯２８をカットし、融着部２５（図５）を切断するための第１の保持・切断部１５１が、前記第２の係合部３８の前記第１の保持・切断部１５１と対向する箇所に、第１のコードを第１の保持・切断部１５１に押し付けるための第１の押付部１５２が形成される。また、第２のコードを単心コード部２２、２３に分離させるために、前記第２の係合部３８の前記第１の押付部１５２と反対側の縁部に沿って、第２のコードを保持し、結束帯２８をカットし、融着部２５を切断するための第２の保持・切断部１５３が、前記第１の係合部３７の前記第２の保持・切断部１５３と対向する箇所に、第２のコードを第２の保持・切断部１５３に押し付けるための第２の押付部１５４が形成される。
【００６１】
前記第１の保持・切断部１５１は、第１のアーム３２の長手方向に延在させて、かつ、互いに隣接させて形成された、第１のコードを収容するための溝状のコード収容部６１、１６１、及び該コード収容部６１、１６１間に形成された第１の区画要素としての区画壁１６２を備える。前記コード収容部６１は、コード収容部６１の幅方向における中央において、底から立ち上げて、第１のアーム３２の先端から所定の長さにわたり延在させて形成された第２の区画要素としての区画壁ｗ１、該区画壁ｗ１の連結部３４側の端部、すなわち、後端に埋込み等によって配設され、第１のコードの融着部２５を切断する第１の切断要素としての金属製のカッタ６３、及び前記区画壁ｗ１によって区画形成され、分離させられた単心コード部２２、２３をそれぞれ収容するための複数の、本実施の形態においては、二つの単心コード部収容溝ｍ１、ｍ２を備える。また、前記コード収容部１６１は、コード収容部１６１の幅方向における中央において、底から立ち上げて、所定の長さにわたり延在させて形成され、第１のコードの結束帯２８をカットする第２の切断要素としての金属製のカッタ１６３を備える。なお、本実施の形態においては、金属製のカッタ６３、１６３が配設されるようになっているが、セラミック等から成るカッタを配設することもできる。
【００６２】
また、前記第１の押付部１５２は、前記単心コード部収容溝ｍ１、ｍ２と対応させて、第２のアーム３３の先端から所定の長さにわたり延在させて形成された第１の押え要素としての凸部ｄ１、ｄ２、該凸部ｄ１、ｄ２より後方において、湾曲させて形成された第２の押え要素としての垂下フラップ１９２、及び前記コード収容部１６１と対応させて、第２のアーム３３の先端から所定の長さにわたり延在させて形成された第３の押え要素としての凸部ｄ１１を備え、前記凸部ｄ１、ｄ２間に第１の区画要素収容部としての区画壁収容溝ｈ１が、凸部ｄ１、ｄ１１間に第２の区画要素収容部としての区画壁収容溝ｈ１１が形成される。
【００６３】
そして、図１８に示されるように、前記第１、第２の係合部３７、３８を係合させると、第１の保持・切断部１５１と第１の押付部１５２とが係合させられ、第１のコードの結束帯２８をカットする場合、コード収容部１６１内に凸部ｄ１１が進入させられ、該凸部ｄ１１によって第１のコードがカッタ１６３に押し付けられる。また、第１のコードを単心コード部２２、２３に分離させる場合、単心コード部収容溝ｍ１、ｍ２内に凸部ｄ１、ｄ２が進入させられ、該凸部ｄ１、ｄ２によって単心コード部２２、２３が第１の保持・切断部１５１に押し付けられ、凸部ｄ１、ｄ２より後方において、垂下フラップ１９２によって第１のコードが第１の保持・切断部１５１に押し付けられる。
【００６４】
前記第２の保持・切断部１５３は、第２のアーム３３の長手方向に延在させて、かつ、互いに隣接させて形成された、第２のコードを収容するための溝状のコード収容部７１、１７１、及び該コード収容部７１、１７１間に形成された第１の区画要素としての区画壁１７２を備える。前記コード収容部７１は、コード収容部７１の幅方向における中央において、底から立ち上げて、第２のアーム３３の先端から所定の長さにわたり延在させて形成された第２の区画要素としての区画壁ｗ２、該区画壁ｗ２の連結部３４側の端部、すなわち、後端に埋込み等によって配設され、第２のコードの融着部２５を切断する第１の切断要素としての金属製のカッタ７３、及び前記区画壁ｗ２によって区画形成され、分離させられた単心コード部２２、２３をそれぞれ収容するための複数の、本実施の形態においては、二つの単心コード部収容溝ｍ３、ｍ４を備える。また、前記コード収容部１７１は、コード収容部１７１の幅方向における中央において、底から立ち上げて、所定の長さにわたり延在させて形成され、第２のコードの結束帯２８をカットする第２の切断要素としての金属製のカッタ１７３を備える。なお、本実施の形態においては、金属製のカッタ７３、１７３が配設されるようになっているが、セラミック等から成るカッタを配設することもできる。
【００６５】
また、前記第２の押付部１５４は、前記単心コード部収容溝ｍ３、ｍ４と対応させて、第１のアーム３２の先端から所定の長さにわたり延在させて形成された第１の押え要素としての凸部ｄ３、ｄ４、該凸部ｄ３、ｄ４より後方において、湾曲させて形成された第２の押え要素としての垂下フラップ１９３、及び前記コード収容部１７１と対応させて、第１のアーム３２の先端から所定の長さにわたり延在させて形成された第３の押え要素としての凸部ｄ１２を備え、前記凸部ｄ３、ｄ４間に第１の区画要素収容部としての区画壁収容溝ｈ２が、凸部ｄ３、ｄ１２間に第２の区画要素収容部としての区画壁収容溝ｈ１２が形成される。
【００６６】
そして、図１８に示されるように、前記第１、第２の係合部３７、３８を係合させると、第２の保持・切断部１５３と第２の押付部１５４とが係合させられ、第２のコードの結束帯２８をカットする場合、コード収容部１７１内に凸部ｄ１２が進入させられ、凸部ｄ１２によって第２のコードがカッタ１７３に押し付けられる。また、第２のコードを単心コード部２２、２３に分離させる場合、単心コード部収容溝ｍ３、ｍ４内に凸部ｄ３、ｄ４が進入させられ、該凸部ｄ３、ｄ４によって単心コード部２２、２３が第２の保持・切断部１５３に押し付けられ、凸部ｄ３、ｄ４より後方において、垂下フラップ１９３によって第２のコードが第２の保持・切断部１５３に押し付けられる。
【００６７】
なお、前記コード収容部１６１及び単心コード部収容溝ｍ１、ｍ２の幅は、それぞれ、コード収容部１７１及び単心コード部収容溝ｍ３、ｍ４の幅より大きく設定される。
【００６８】
このように、作業者は、第１のコードの結束帯２８をカットしたり、第１のコードを単心コード部２２、２３に分離させたりする場合、第１のアーム３２を下に、第２のアーム３３を上にしてコード単心分離工具３１を把持することによって、第１の保持・切断部１５１に第１のコードをセットすることができ、第２のコードの結束帯２８をカットしたり、第２のコードを単心コード部２２、２３に分離させたりする場合、第２のアーム３３を下に、第１のアーム３２を上にしてコード単心分離工具３１を把持することによって、第２の保持・切断部１５３に第２のコードをセットすることができる。
【００６９】
なお、１８３は第１のアーム３２の先端において幅方向に突出させて形成された肉厚の突出部、１８４は第２のアーム３３の先端において幅方向に突出させて、かつ、前記突出部１８３と対向させて形成された肉薄の突出部、１８５は第２のアーム３３の先端において幅方向に突出させて形成された肉厚の突出部、１８６は第１のアーム３２の先端において幅方向に突出させて、かつ、前記突出部１８５と対向させて形成された肉薄の突出部である。そして、前記突出部１８３、１８４の互いに対向する面に、前記第１の保持・切断部１５１及び第１の押付部１５２が、前記突出部１８５、１８６の互いに対向する面に、前記第２の保持・切断部１５３及び第２の押付部１５４が形成される。
【００７０】
突出部１８３におけるコード収容部６１、１６１より後方には、第１のコードを支持する支持部としてのプレート部１９６が後方に向けて延在させて形成され、突出部１８５におけるコード収容部７１、１７１より後方には、第２のコードを支持する支持部としてのプレート部１９７が後方に向けて延在させて形成される。
【００７１】
そして、第２のアーム３３を上にしてコード単心分離工具３１を把持して第１のコードを単心コード部２２、２３に分離させる際に見えるように、第１のコードをセットする箇所であることを表す「コード」の文字が、前記プレート部１９６におけるコード収容部６１より後方に形成され、第２のアーム３３を上にしてコード単心分離工具３１を把持して第１のコードの結束帯２８をカットする際に見えるように、第１のコードをセットする箇所であることを表す「結束帯」の文字が、プレート部１９６におけるコード収容部１６１より後方に形成される。さらに、第１の保持・切断部１５１にセットされる第１のコードを引き出す方向を示す矢印、及び第１のコードのコード径を表す「２．０ｍｍ」の文字が、突出部１８４の背面に形成される。
【００７２】
また、第１のアーム３２を上にしてコード単心分離工具３１を把持して第２のコードを単心コード部２２、２３に分離させる際に見えるように、第２のコードをセットする箇所であることを表す「コード」の文字が、前記プレート部１９７におけるコード収容部７１より後方に形成され、第１のアーム３２を上にしてコード単心分離工具３１を把持して第２のコードの結束帯２８をカットする際に見えるように、第２のコードをセットする箇所であることを表す「結束帯」の文字が、プレート部１９７におけるコード収容部１７１より後方に形成される。さらに、第２の保持・切断部１５３にセットされる第２のコードを引き出す方向を示す矢印、及び第２のコードのコード径を表す「１．５ｍｍ」の文字が突出部１８６の背面に形成される。
【００７３】
次に、前記コード単心分離工具３１を使用して２心コード２１を単心コード部２２、２３に分離させるコード単心分離方法について説明する。
【００７４】
第１のコードを単心コード部２２、２３に分離させる場合、まず、作業者は、コード単心分離工具３１に第１のコードをセットする。この場合、第１のコードのコード径は２．０〔ｍｍ〕であるので、作業者は、第１のアーム３２を下に、第２のアーム３３を上にしてコード単心分離工具３１を把持し、突出部１８４の背面に形成された文字によって、対応するコード径が２．０〔ｍｍ〕であることを確認し、プレート部１９６に形成された「結束帯」の文字に従って、第１のコードの結束帯２８（図４）をコード収容部１６１内のカッタ１６３と対応する位置に置くことによって、コード収容部１６１に第１のコードをセットする。
【００７５】
続いて、作業者は、第１、第２のアーム３２、３３の先端を指で押すことによって第１、第２の係合部３７、３８を係合させる。これにより、第１のコードの結束帯２８がカッタ１６３によってカットされる。次に、作業者は、コード収容部１６１から第１のコードを取り出し、カットされた結束帯２８を剥がす。
【００７６】
そして、プレート部１９６に形成された「コード」の文字に従って、コード収容部６１におけるカッタ６３より連結部３４側に第１のコードの分岐部ｐ１、ｐ２のうちの一方及び接合部分２６を置き、単心コード部収容溝ｍ１、ｍ２に第１のコードの各非接合部分２７を置く。
【００７７】
続いて、作業者は、第１、第２のアーム３２、３３の先端を指で押すことによって第１、第２の係合部３７、３８を係合させ、その状態で、突出部１８４の背面に形成された矢印の方向に、単心コード部収容溝ｍ１、ｍ２から突出している第１のコードの各非接合部分２７を引き出す。
【００７８】
これにより、第１のコードの融着部２５がカッタ６３によって切断され、第１のコードが単心コード部２２、２３に分離させられる。
【００７９】
また、第２のコードを単心コード部２２、２３に分離させる場合、まず、作業者は、コード単心分離工具３１に第２のコードをセットする。この場合、第２のコードのコード径は１．５〔ｍｍ〕であるので、作業者は、第２のアーム３３を下に、第１のアーム３２を上にしてコード単心分離工具３１を把持し、突出部１８５の背面に形成された文字によって、対応する径が１．５〔ｍｍ〕であることを確認し、プレート部１９７に形成された「結束帯」の文字に従って、第２のコードの結束帯２８をコード収容部１７１内のカッタ１７３と対応する位置に置くことによって、コード収容部１７１に第２のコードをセットする。
【００８０】
続いて、作業者は、第１、第２のアーム３２、３３の先端を指で押すことによって第１、第２の係合部３７、３８を係合させる。これにより、第２のコードの結束帯２８がカッタ１７３によってカットされる。次に、作業者は、コード収容部１７１から第２のコードを取り出し、カットされた結束帯２８を剥がす。
【００８１】
そして、プレート部１９７に形成された「コード」の文字に従って、コード収容部７１におけるカッタ７３より連結部３４側に第２のコードの分岐部ｐ１、ｐ２のうちの一方及び接合部分２６を置き、単心コード部収容溝ｍ３、ｍ４に第２のコードの各非接合部分２７を置く。
【００８２】
続いて、作業者は、第１、第２のアーム３２、３３の先端を指で押すことによって第１、第２の係合部３７、３８を係合させ、その状態で、突出部１８６の背面に形成された矢印の方向に、単心コード部収容溝ｍ３、ｍ４から突出している第２のコードの各非接合部分２７を引き出す。
【００８３】
これにより、第２のコードの融着部２５がカッタ７３によって切断され、第２のコードが単心コード部２２、２３に分離させられる。
【００８４】
このように、本実施の形態においては、コード収容部１６１に第１のコードを、コード収容部１７１に第２のコードをセットし、第１、第２の係合部３７、３８を係合させることによって、第１、第２のコードの結束帯２８をカットすることができるので、はさみ、ナイフ等を使用する必要がない。したがって、２心コード２１を単心コード部２２、２３に分離させる際の作業効率を向上させることができる。
【００８５】
また、コード収容部６１に第１のコードを、コード収容部７１に第２のコードをセットし、第１、第２の係合部３７、３８を係合させ、その状態で、単心コード部収容溝ｍ１、ｍ２から突出している第１のコードの各非接合部分２７、又は単心コード部収容溝ｍ３、ｍ４から突出している第２のコードの各非接合部分２７を引き出すことによって、２心コード２１を単心コード部２２、２３に容易に分離させることができる。
【００８６】
さらに、各非接合部分２７を引き出す際に、２心コード２１に過剰な外力が加わることがなく、しかも、２心コード２１には長さ方向に外力が加わるだけで、曲げ方向には外力が加わらないので、２心コード２１が破損したり、光ファイバ心線１６（図３）が切断されたりすることがない。
【００８７】
そして、突出部１８４、１８６の背面に形成されたコード径を表す文字に従って２心コード２１を第１、第２の保持・切断部１５１、１５３にセットすることができるので、非接合部分２７及び分離させられた単心コード部２２、２３を各単心コード部収容溝ｍ１〜ｍ４内に適正に収容することができる。その結果、各非接合部分２７を安定させて引き出すことができる。
【００８８】
また、第１、第２の係合部３７、３８を係合させることによって、コード収容部１６１、１７１にセットされた２心コード２１が凸部ｄ１１、ｄ１２によりそれぞれカッタ６３、７３に押し付けられるので、結束帯２８を確実にカットすることができる。さらに、第１、第２の係合部３７、３８を係合させることによって、コード収容部６１にセットされた２心コード２１が凸部ｄ１、ｄ２及び垂下フラップ１９２により第１の保持・切断部１５１に押し付けられ、コード収容部７１にセットされた２心コード２１が凸部ｄ３、ｄ４及び垂下フラップ１９３によって第２の保持・切断部１５３に押し付けられるので、各非接合部分２７を一層安定させて引き出すことができる。したがって、２心コード２１を単心コード部２２、２３に確実に分離させることができる。
【００８９】
なお、本発明は前記各実施の形態に限定されるものではなく、本発明の趣旨に基づいて種々変形させることが可能であり、それらを本発明の範囲から排除するものではない。
【符号の説明】
【００９０】
２２、２３    単心コード部
２５    融着部
２７    非接合部分
３１    コード単心分離工具
３２、３３    第１、第２のアーム
３４    連結部
３７、３８    第１、第２の係合部
５１、１５１    第１の保持・切断部
５２、１５２    第１の押付部
５３、１５３    第２の保持・切断部
５４、１５４    第２の押付部
【図１】
2014182339.tif 000003
【図２】
2014182339.tif 000004
【図３】
2014182339.tif 000005
【図４】
2014182339.tif 000006
【図５】
2014182339.tif 000007
【図６】
2014182339.tif 000008
【図７】
2014182339.tif 000009
【図８】
2014182339.tif 000010
【図９】
2014182339.tif 000011
【図１０】
2014182339.tif 000012
【図１１】
2014182339.tif 000013
【図１２】
2014182339.tif 000014
【図１３】
2014182339.tif 000015
【図１４】
2014182339.tif 000016
【図１５】
2014182339.tif 000017
【図１６】
2014182339.tif 000018
【図１７】
2014182339.tif 000019
【図１８】
2014182339.tif 000020